(57)【要約】【課題】曲面状の対象物に対しても効率的に剃ることができる剃刀を提供する。【解決手段】その（１）に示すように平面視Ｅ字形状の剃刀刃１７の中央部４９の開口５１には移動自在な移動ピン３８が取付けられている。一方、剃刀刃１７の右側部４８及び左側部５０には、水平方向に移動しない固定ピン２１ａ，固定ピン２１ｂが取付けられている。この状態でレバー１９を軸２８を中心として時計方向周りに回転させると、移動ピン３８を介して剃刀刃１７の中央部４９のみが下方向に移動して刃先４７はその（２）に示すように凸形状に変形する。同様にレバー１９を反時計方向周りに移動させると、その（３）に示すように刃先４７は凹形状に変形する。このようにして、剃る対象の形状に応じて刃先４７の形状を容易に変形させることができるので、使い勝手が良い。【選択図】      図４
2004173889.tif 000002
【特許請求の範囲】
【請求項１】
平板形状の剃刀刃と、
前記剃刀刃の刃先を、前記剃刀刃の上面及び下面を構成する面内の各々において、凹形状及び凸形状の少なくとも一方に自在に変形させる刃先可変手段とを備えた、剃刀。
【請求項２】
前記剃刀刃は、前記刃先を含む刃部と、前記刃部の中央に接続する中央部と、前記刃部の外側の一方に接続する右側部と、前記刃部の外側の他方に接続する左側部とからなる平面視Ｅ字形状を有し、
前記刃先可変手段は、
前記剃刀刃の前記右側部及び前記左側部を固定する固定手段と、
前記剃刀刃の前記中央部を前記面内の各々において、前記刃先の連続する方向に対して直交する方向に移動させる移動手段とを備えた、請求項１記載の剃刀。
【請求項３】
前記刃先を露出させるように、前記剃刀刃の上面の一部に接する上面部と、前記剃刀刃の下面に接する下面部とからなるシート状のプロテクタを更に備え、
前記プロテクタの前記上面部及び前記下面部の辺であって、前記剃刀刃の前記刃先側の辺は、前記刃先の変形に応じて前記刃先との距離を一定に保つように変形する、請求項１又は請求項２記載の剃刀。
【請求項４】
前記プロテクタの前記下面部の外方面には、前記剃刀刃の前記刃先の位置に対応した視認線が形成される、請求項３記載の剃刀。
【発明の詳細な説明】
【０００１】
【発明の属する技術分野】
この発明は剃刀に関し、特に髭等を整えるために皮膚の曲面を剃るための剃刀に関するものである。
【０００２】
【従来の技術】
従来髭等を整えるために、替刃方式の安全剃刀が多く用いられている。使用時には替刃をホルダーに装着した状態で肌の上を滑らすようにして使用する。
【０００３】
【発明が解決しようとする課題】
上記のような従来の剃刀では、刃先が直線状であるため平面状の対象物には適しているが、人体を対象とする際には肌の面が曲面状であるためスムーズに剃ることができない。
【０００４】
尚、剃刀刃自体を撓ませる安全剃刀も提案されているが、刃先はその面内においてやはり直線状態のままであるため、充分な効果は期待できない。
【０００５】
この発明は上記のような課題を解決するためになされたもので、曲面状の対象物に対しても効率的に剃ることができる剃刀を提供することを目的とする。
【０００６】
【課題を解決するための手段】
上記の目的を達成するために、請求項１記載の発明は、剃刀であって、平板形状の剃刀刃と、剃刀刃の刃先を、剃刀刃の上面及び下面を構成する面内の各々において、凹形状及び凸形状の少なくとも一方に自在に変形させる可変手段とを備えたものである。
【０００７】
このように構成すると、剃刀の刃先が面内において変形する。
【０００８】
請求項２記載の発明は、請求項１記載の発明の構成において、剃刀刃は、刃先を含む刃部と、刃部の中央に接続する中央部と、刃部の外側の一方に接続する右側部と、刃部の外側の他方に接続する左側部とからなる平面視Ｅ字形状を有し、刃先可変手段は、剃刀刃の右側部及び左側部を固定する固定手段と、剃刀刃の中央部を面内の各々において、刃先の連続する方向に対して直交する方向に移動させる移動手段とを備えたものである。
【０００９】
このように構成すると、剃刀刃の中央部が移動すると、刃先画面内において凹形状又は凸形状に変化する。
【００１０】
請求項３記載の発明は、請求項１又は請求項２記載の発明の構成において、刃先が露出するように、剃刀刃の上面の一部に接する上面部と、剃刀刃の下面に接する下面部とからなるシート状のプロテクタを更に備え、プロテクタの上面部及び下面部の辺であって、剃刀の刃先側の辺は、刃先の変形に応じて刃先との距離を一定に保つように変形するものである。
【００１１】
このように構成すると、刃先の変形に応じてプロテクタも変形する。
【００１２】
請求項４記載の発明は、請求項３記載の発明の構成において、プロテクタの下面部の外方面には、剃刀刃の刃先の位置に対応した視認線が形成されるものである。
【００１３】
このように構成すると、プロテクタの下面側からも刃先の位置が視認される。
【００１４】
【発明の効果】
以上説明したように、請求項１記載の発明は、剃刀刃の刃先が面内において変形するため、用途に応じた刃先の形状にすることによって使い勝手が向上する。
【００１５】
請求項２記載の発明は、請求項１記載の発明の効果に加えて、剃刀刃の中央部が移動すると刃先が面内において凹形状又は凸形状に変化するため、安定した刃先の形状変化が可能となる。尚、中央部を移動させた状態で固定するようにすればより使い勝手が向上する。
【００１６】
請求項３記載の発明は、請求項１又は請求項２記載の発明の効果に加えて、刃先の変形に応じてプロテクタも変形するため、刃先が変化した状態での使い勝手を阻害する虞はない。
【００１７】
請求項４記載の発明は、請求項３記載の発明の効果に加えて、プロテクタの下面側からも刃先の位置が視認されるため、使い勝手がより向上する。
【００１８】
【発明の実施の形態】
図１はこの発明の実施の形態による剃刀の外観形状を示した斜視図であり、図２は図１で示したＩＩ−ＩＩラインによる断面図であり、図３は図１で示した剃刀をその構成部品毎に分解した状態を示した斜視図である。
【００１９】
これらの図を参照して、剃刀１１は大きくは、その下面にグリップ１４が取付けられたフォルダ１３と、フォルダ１３に対して脱着自在のプロテクタ１６と、プロテクタ１６に挟まれるように脱着自在に装着される剃刀刃１７とから構成されている。
【００２０】
グリップ１４は合成樹脂よりなり、上方に向かって先細りの四角柱形状を有している。グリップ１４の上端部はフォルダ１３の下面部３２の下面の中央部に固定されている。
【００２１】
フォルダ１３は、合成樹脂の一体成形により、又は、シート状の鉄板を折り曲げて断面Ｊ字状に構成されている。すなわちフォルダ１３は上方に位置する上面部３１と、下方に位置する下面部３２とが屈曲部３３を介して一体となるように構成されている。尚、屈曲部３３の中央部には開口２２が形成されている。又、フォルダ１３の屈曲部３３には後述するように平面視Ｌ字状のレバー１９が軸２８を中心として回動自在に取付けられている。軸２８はフォルダ１３の上面部３１の下面又は下面部３２の上面の少なくともいずれか一方に固定されている。
【００２２】
又、フォルダ１３の上面部３１の両外側には、固定ピン２１ａ，固定ピン２１ｂが挿入自在となるような開口２３ａ，開口２３ｂが形成されている。同様にフォルダ１３の下面部３２の両外側にも、開口２３ａ，開口２３ｂを介して挿入された固定ピン２１ａ，固定ピン２１ｂが挿通できるような開口２５ａ，開口２５ｂが形成されている。
【００２３】
剃刀刃１７は平板形状の金属板よりなり、刃先４７を含む刃部４６と、刃部４６の中央部に接続する中央部４９と、刃部４６の両外側の一方に接続する右側部４８と、刃部４６の両外側の他方に接続する左側部５０とからなる平面視Ｅ字形状を有している。又、剃刀刃１７の中央部４９の端部側には開口５１が形成されており、右側部４８及び左側部５０の端部側の各々には、開口５２ａ，開口５２ｂが形成されている。尚、刃部４６の刃先４７の連続する方向に対して直交する方向の長さは極めて小さく設定されている。尚、刃先４７の長さは通常の安全剃刀のそれより短く、例えば２５ｍｍ程度に設定されている。これによって、狭い部分の際剃りを容易としている。
【００２４】
プロテクタ１６はエストラマーのような透明性を有する弾性合成樹脂よりなり、その内方に矩形状の開口２４ａ，開口２４ｂが形成された矩形状のシートを、断面がＪ字形状となるように折曲げて構成されている。図から明らかなように、プロテクタ１６の上方に位置する上面部３５の折曲げ方向の長さは、剃刀刃１７の刃先４７の連続する方向に対して直交する方向の長さより小さく設定されている。一方、プロテクタ１６の下方に位置する下面部３６の折曲げ方向の長さは、剃刀刃１７の刃先４７の連続する方向に直交する方向の長さより長くなるように設定されている。
【００２５】
又、プロテクタ１６の上面部３５の中央部には円柱形状の移動ピン３８が挿通し得る開口４３が形成されており、その下方のプロテクタ１６の下面部３６の対応する位置に開口４３と同形状の開口５６が形成されている。プロテクタ１６の上面部３５の両外側に位置する右側部４０及び左側部４２には、固定ピン２１ａ，固定ピン２１ｂが挿通可能な開口４４ａ，開口４４ｂが形成されている。そして、開口４４ａ，開口４４ｂの下方のプロテクタ１６の下面部３６の対応する位置に開口４４ａ，開口４４ｂと同形状の開口４５ａ，開口４５ｂが形成されている。開口４４ａ，開口４４ｂ及び開口４５ａ，開口４５ｂは、プロテクタ１６をフォルダ１３の上面部３１と下面部３２との間にセットした際に、開口２３ａ，開口２３ｂの鉛直下方位置に整列するようにプロテクタ１６は構成されている。
【００２６】
又、剃刀刃１７に形成されている開口５２ａ，開口５２ｂも、剃刀刃１７をプロテクタ１６の上面部３５と下面部３６との間に装着した際に、プロテクタ１６の開口４４ａ，開口４４ｂの鉛直方向に整列するように剃刀刃１７は構成されている。同様に、剃刀刃１７の開口５１もこの装着状態でプロテクタ１６の開口４３の鉛直方向に位置するように形成されている。
【００２７】
以上のようにフォルダ１３、プロテクタ１６及び剃刀刃１７が構成されているため、使用時には剃刀刃１７をプロテクタ１６に装着した状態で移動ピン３８を開口４３、開口５１及び開口５６を貫通するようにセットする。そしてこの状態で一体となったプロテクタ１６及び剃刀刃１７を、フォルダ１３の上面部３１と下面部３２との間にセットする。そして移動ピン３８を後述するようにレバー１９に係合させ、固定ピン２１ａを、開口２３ａ、開口４４ａ、開口５２ａ、開口４５ａ及び開口２５ａを貫通させてフォルダ１３に固定する。同様に固定ピン２１ｂを、開口２３ｂ、開口４４ｂ、開口５２ｂ、開口４５ｂ及び開口２５ｂを貫通させてフォルダ１３に固定する。これによってフォルダ１３、プロテクタ１６及び剃刀刃１７は図１で示した状態にセットされることになる。
【００２８】
尚、上述のようにプロテクタ１６と剃刀刃１７とは構成されているため、剃刀刃１７の刃先４７はプロテクタ１６の上面部３５の辺と下面部３６の辺との間に位置することになる。この剃刀刃１７の刃先４７の位置に対応させて、プロテクタ１６の下面部３６の下面には、視認線２６ａ、視認線２６ｂ及び視認線２６ｃが表示されている。これによって、図２に示すようにプロテクタ１６の下面側からも剃刀刃１７の刃先４７の位置を容易に視認することが可能となる。
【００２９】
図４は図１から図３で示した剃刀の刃先の形状変化を模式的に示した図である。
【００３０】
図においては、剃刀刃１７の刃先４７の形状変化をより明確に明らかにするために、フォルダ１３及びプロテクタ１６を取り除き剃刀刃１７及びレバー１９のみを中心として示している。
【００３１】
図４の（１）を参照して、この状態は、剃刀刃１７の刃先４７が直線状となる通常状態を示している。レバー１９は操作部５３と駆動部５４とからなる平面視Ｌ字形状を有している。そして操作部５３と駆動部５４との接続部分は、軸２８を中心として回動自在に取付けられている。又、駆動部５４には移動ピン３８が摺動自在となるような長穴５５が形成されている。上述のように軸２８は、フォルダ１３の上面部３１及び下面部３２の少なくとも一方に固定された状態に取付けられている。一方、移動ピン３８は、剃刀刃１７の中央部４９に形成されている開口５１及びレバー１９の駆動部５４に形成されている長穴５５を貫通するように取付けられている。尚、移動ピン３８は、図３で示したフォルダ１３の上面部３１及び下面部３２のいずれに対しても固定されていない。
【００３２】
一方、剃刀刃１７の右側部４８に形成されている開口５２ａには、図３で示したフォルダ１３に固定されている固定ピン２１ａが貫通した状態となっている。
【００３３】
従って、剃刀刃１７の右側部４８は固定ピン２１ａに対して図において水平方向には移動できないが、固定ピン２１ａ周りには回動できるように取付けられている。
【００３４】
同様に、剃刀刃１７の左側部５０に形成されている開口５２ｂには、フォルダ１３に固定されている固定ピン２１ｂが貫通した状態となっている。従って、同様に剃刀刃１７の左側部５０は、固定ピン２１ｂに対して図において水平方向には移動できないが、固定ピン２１ｂの周りには回動できるように取付けられている。
【００３５】
図４の（１）の状態からレバー１９の操作部５３を図において時計方向周りに回転させた状態を示したのが図４の（２）である。レバー１９がこのように操作されると、レバー１９を構成する駆動部５４も軸２８を中心として時計方向周りに移動する。移動ピン３８は上述のようにフォルダ１３には固定されていないため、駆動部５４の長穴５５の移動に伴って図において下方向に移動する。移動ピン３８は剃刀刃１７の中央部４９に形成されている開口５１を貫通していることから、移動ピン３８の移動は中央部４９を下方向に移動させることになる。
【００３６】
ところが、剃刀刃１７の右側部４８及び左側部５０は、固定ピン２１ａ及び固定ピン２１ｂによって水平方向への移動は阻止された状態となっている。従って、剃刀刃１７の中央部４９の下方向への移動によって、刃先４７は剃刀は７の上面及び下面を構成する水平面内において凸形状に変形することになる。上述のように剃刀刃１７の刃部４６の刃先４７の連続する方向に対する直交方向の長さは極めて短く、又、剃刀刃１７の右側部４８及び左側部５０は固定ピン２１ａ及び固定ピン２１ｂの各々の周りに回動自在であるため、剃刀刃１７は容易に面内において変形する。尚、この実施の形態による剃刀１１においては、この状態でレバー１９の位置を固定するための図示しない固定手段がフォルダ１３に設けられている。従って、この剃刀刃１７の刃先４７の凸形状状態で使用を続けることが容易となる。
【００３７】
図４の（３）は、図４の（１）に示した通常状態からレバー１９を図において反時計方向周りに移動させた状態を示した図である。レバー１９の操作部５３が軸２８を中心として反時計方向周りに回転すると、レバー１９の駆動部５４も併せて軸２８を中心として反時計方向周りに移動する。すると駆動部５４の移動は移動ピン３８に伝達され、移動ピン３８が貫通している開口５１を介して剃刀刃１７を構成する中央部４９を、図において上方方向に移動させることになる。
【００３８】
ところが、剃刀刃１７を構成する右側部４８及び左側部５０は、固定ピン２１ａ及び固定ピン２１ｂの各々によって図において水平方向の移動が阻止されている。従って、剃刀刃１７の中央部４９のみが上方に移動することになり、刃先４７は水平面内において凹形状に変形することになる。尚、この変形も剃刀刃１７の刃部４６の上下方向の長さが短く設定されていることと、剃刀刃１７の右側部４８及び左側部５０が固定ピン２１ａ及び固定ピン２１ｂの各々の周りを回動自在となるように設定されていることとから、刃先４７は容易に凹形状に変形することになる。
【００３９】
又、同様に図４の（３）に示した状態にレバー１９を固定するための固定手段がフォルダ１３に設けられている。従って、この刃先４７が凹形状となった状態で使用を続けることが容易となる。
【００４０】
尚、実際には剃刀刃１７はプロテクタ１６に挟まれた状態でフォルダ１３にセットされるものである。しかし固定ピン２１ａ及び固定ピン２１ｂは、剃刀刃１７のみならず、プロテクタ１６を構成する上面部３５及び下面部３６に対しても貫通するように取付けられている。又、剃刀刃１７の中央部４９を貫通する移動ピン３８も、プロテクタ１６の上面部３５及び下面部３６を貫通した状態で取付けられている。
【００４１】
従って、図４の（２）及び（３）に示したような位置に剃刀刃１７を変形させるようにレバー１９を操作すると、剃刀刃１７の変形と同様にプロテクタ１６の上面部３５及び下面部３６も、剃刀刃１７の刃先４７側の辺が各々変形する。そのため、剃刀刃１７の刃先４７の位置とプロテクタ１６の上面部３５及び下面部３６の各々の辺の位置との間隔は、図４の（１）に示した通常状態と変わることがない。すなわち、どの使用状態においてもプロテクタ１６は安定した保護機能を発揮することになる。この結果、プロテクタ１６の下面部３６の下面に形成された視認線２６ａ〜視認線２６ｃの位置も、剃刀刃１７の刃先４７の変形に連動して移動することになる。これによってプロテクタ１６の下面からの剃刀刃１７の刃先４７の位置を確実に把握できるため、より使い勝手が向上する。
【００４２】
尚、上記の実施の形態では、刃先を凹形状及び凸形状のいずれにも変形可能なように構成されているが、用途に応じてこれらのいずれか一方のみに変形できるように構成しても良い。
【００４３】
又、上記の実施の形態では、剃刀刃の形状を平面視Ｅ字形状としているが、刃先が面内で変形できるものであれば他の形状であっても良い。
【００４４】
更に、上記の実施の形態では、剃刀刃の両外側を固定して中央部を移動させているが、これとは逆に中央部を固定して両外側を移動させるように構成しても良く、あるいはこれらを相対的に移動させるように構成しても同様の効果を奏する。
【００４５】
更に、上記の実施の形態では、剃刀刃の両外側を回動自在に固定しているが、水平方向のみならず回動方向にも固定するように構成しても良い。
【００４６】
更に、上記の実施の形態では、プロテクタの下面に視認線を設けているが、これは必ずしも必要なものではない。
【００４７】
更に、上記の実施の形態では、プロテクタを設けているが、ホルダーを改良することによってプロテクタを不用とし、剃刀刃を直接ホルダーに取り付けることも可能である。
【００４８】
更に、上記の実施の形態では、剃刀刃をその面内において変形させているが、面内のみならずその面を貫通する方向にも変形できるように構成すれば、より使い勝手の良い剃刀となる。
【００４９】
更に、上記の実施の形態では、剃刀刃の刃先は連続しているが、この中央部に例えばＶ字形状の切欠等を設ければ、刃先の変形がより容易となる。
【図面の簡単な説明】
【図１】この発明の実施の形態による剃刀の外観形状を示した斜視図である。
【図２】図１で示したＩＩ−ＩＩラインによる断面図である。
【図３】図１で示した剃刀を構成する部品毎に分解した斜視図である。
【図４】図１で示した剃刀の剃刀刃の変形状態を模式的に示した図である。
【符号の説明】
１１…剃刀
１６…プロテクタ
１７…剃刀刃
１９…レバー
２１…固定ピン
２３，２５，４３，４４，４５，５１，５２，５６…開口
２６…視認線
２８…軸
３５…上面部
３６…下面部
３８…移動ピン
４６…刃部
４７…刃先
４８…右側部
４９…中央部
５０…左側部
５５…長穴
尚、各図中同一符号は同一又は相当部分を示す。
【図１】
2004173889.tif 000003
【図２】
2004173889.tif 000004
【図３】
2004173889.tif 000005
【図４】
2004173889.tif 000006